(57)【要約】【課題】高圧放電ランプの種類が異なる場合であっても、ランプの調光度を一定とする高圧放電ランプ点灯装置を提供する。【解決手段】主チョークコイル１１および少なくとも１つの調光制御チョークコイル１２，１３と制御短絡手段１４，１５の並列回路の直列回路からなる高圧放電ランプ点灯装置１。例えば、高圧放電ランプとして水銀ランプを用いる場合には、制御短絡手段１４のリレーをオンにし、高圧ナトリウムランプであれば制御短絡手段１５のリレーをオンにする。【選択図】　図１
2004119103.tif 000002
【特許請求の範囲】
【請求項１】
主チョークコイルと；
主チョークコイルと直列に接続される調光制御チョークコイルおよび制御切換手段の並列回路からなる少なくとも２つの制御切換回路と；
を具備していることを特徴とする高圧放電ランプ点灯装置。
【請求項２】
リーケージトランスと
リーケージトランスに直列に接続される主コンデンサと；
主コンデンサと並列に接続される調光制御コンデンサおよび制御切換手段の直列回路からなる少なくとも２つの制御切換回路と；
を具備していることを特徴とする高圧放電ランプ点灯装置。
【発明の詳細な説明】
【０００１】
【発明の属する技術分野】本発明は、調光可能な高圧放電ランプの点灯装置に関する。
【０００２】
【従来の技術】従来、この種の高圧放電ランプ点灯装置としては、例えば特開平５−１２９０８９号公報（従来例１）に示す構成のものが知られている。これは、交流電源にチョークコイルを介して放電ランプを接続する放電灯点灯装置において、前記チョークコイルに中間タップを設け、この中間タップを切り換える切換スイッチを介して前記交流電源に対して並列に容量性素子を接続し、前記切換スイッチを切り換えることにより前記放電ランプを調光することを特徴とした放電灯点灯装置である。
【０００３】
【特許文献１】特開平５−１２９０８９号公報
【０００４】
【発明が解決しようとする課題】しかしながら、高圧放電ランプは、例えば、水銀ランプ、メタルハライドランプおよび高圧ナトリウムランプなどの種類を含んでおり、広いスペースに多くのランプが取り付けられる場合が多い。このとき、ランプの種類を一種類とする事よりも、演色、効率を考慮して複数の種類のランプが取り付けられる場合が多い。
【０００５】
また、近年の省エネルギーの要求から、ランプを調光して用いる場合が多くなっている。調光を行う場合は、複数のランプと安定器に調光用リレーをオンして、エリアごとに調光をおこなうことが多い。しかしながら、一つの調光用リレーに接続されているランプの種類が異なると、ランプの種類によって調光度が異なるため、ランプによって明るさに違いが出てしまう。つまり、調光用リレーによって出力を例えば５０％に調光するように切り替えを行ってもランプによっては、７０％の調光のランプや、４０％の調光のランプが混在してしまい、照度のばらつきを生じてしまうなどの不具合が発生していた。
【０００６】
このため、本発明では、調光用リレーによる調光を行ってもランプの種類によらず一定の調光を行う高圧放電ランプ点灯装置を提供するものである。
【０００７】
【課題を解決するための手段】請求項１の発明の高圧放電ランプ点灯装置は、主チョークコイルと；主チョークコイルと直列に接続される調光制御チョークコイルおよび制御切換手段の並列回路からなる少なくとも１つの制御切換回路と；を具備している。請求項２の発明の高圧放電ランプ点灯装置は、リーケージトランスと；リーケージトランスに直列に接続される主コンデンサと；主コンデンサと並列に接続される調光制御コンデンサおよび制御切換手段の直列回路からなる少なくとも１つの制御切換回路と；を具備している。
【０００８】
本発明において、用語の定義及び技術的意味は次による。制御切換手段は、リレー、など調光制御チョークコイルまたは調光制御コンデンサを外部から切り換える機能を有しているものであればよく、機械的および電気的に動作するものを許容する。
【０００９】
本発明によれば、外部の調光手段によって調光制御チョークコイルまたは調光制御コンデンサを切り換えることによって、ランプの種別によって安定器のインピーダンスが調整され、所望の調光度にあったランプの調光が可能となり、多数・多種の高圧放電ランプが接続された場合でもそれぞれのランプが指定した調光度とすることができ、ランプの種別によって明るさが異なることを抑制できる。このため、高圧放電ランプの種別による照度の違いも抑制できる。
【００１０】
【発明の実施の形態】本発明の高圧放電ランプ点灯装置の第一実施形態を図１を参照して説明する。図１は、高圧放電ランプ点灯装置の回路図である。
【００１１】
高圧放電ランプ点灯装置１は、端子１および２の間に商用電源ＡＣが接続される。高圧放電ランプ点灯装置１は、主チョークコイル１１および第１の調光用チョークコイル１２、第２の調光用チョークコイル１３および高圧放電ランプＤＬが直列に接続され、力率改善用コインデンサＣおよび力率改善用抵抗器Ｒの並列回路が接続されている。第１の調光用チョークコイル１２、第２の調光用チョークコイル１３には、それぞれ、並列に制御短絡リレー１４、１５が取り付けられている。外部の調光切りかえ手段（図示しない）には、ランプの種別によって、端子３および端子５、または、端子４および端子５の間に接続される。
【００１２】
つまり、高圧放電ランプ点灯装置１の高圧放電ランプＤＬを調光せずに全光にて点灯する場合は、外部の調光切りかえ手段（図示しない）はオンされず制御短絡リレー１４、１５は動作しない。このため、高圧放電ランプ点灯装置のインピーダンスは主チョークコイル１１、第１の調光用チョークコイル１２および第２の調光用チョークコイル１３の合計となり高圧放電ランプＤＬが全光点灯される。しかしながら高圧放電ランプＤＬを調光点灯する場合には、外部の調光切りかえ手段（図示しない）がオンされると、高圧放電ランプＤＬの種類によってあらかじめ接続されている制御短絡リレー１４または１５を動作させる。すなわち、高圧放電ランプＤＬが水銀ランプの場合は端子４および端子５の間に外部の調光切りかえ手段が接続されており制御短絡リレー１４を動作させて第１の調光用チョークコイル１２を短絡する。このため高圧放電ランプ点灯装置のインピーダンスは主チョークコイル１１および第２の調光用チョークコイル１３の合計となり高圧放電ランプＤＬが調光点灯される。また、高圧放電ランプＤＬが高圧ナトリウムランプの場合は端子４および端子５の間に外部の調光切りかえ手段が接続されており制御短絡リレー１５を動作させて第１の調光用チョークコイル１２および第２の調光用チョークコイル１３を短絡する。このため高圧放電ランプ点灯装置のインピーダンスは主チョークコイル１１のみとなり高圧放電ランプＤＬが調光点灯される。このようにして接続される高圧放電ランプが、水銀ランプおよび高圧ナトリウムランプなどであっても高圧放電ランプ点灯装置の負荷を変化させて調光比率が同一となるようにしている。
【００１３】
次に、本発明の高圧放電ランプ点灯装置の第二の実施形態を図２を参照して説明する。図２は、高圧放電ランプ点灯装置２の回路図である。なお、図１と統一部分には同一符号を付して説明を省略する。
【００１４】
高圧放電ランプ点灯装置２は、リーケージトランス２１および主コンデンサ２２および高圧放電ランプＤＬが直列に接続され、主コンデンサ２２と並列に第１の調光用コンデンサ２３および制御短絡リレー２４の直列回路、第２の調光用コンデンサ２５および制御短絡リレー２６の直列回路が接続される。
【００１５】
そうして、高圧放電ランプ点灯装置２の高圧放電ランプＤＬを調光せずに全光にて点灯する場合は、外部の調光切りかえ手段（図示しない）はオンされず制御短絡リレー１４、１５は動作しない。このため、高圧放電ランプ点灯装置のインピーダンスは主コンデンサ２２のみとなり高圧放電ランプＤＬが全光点灯される。しかしながら高圧放電ランプＤＬを調光点灯する場合には、外部の調光切りかえ手段（図示しない）がオンされると、高圧放電ランプＤＬの種類によってあらかじめ接続されている制御短絡リレー１４または１５を動作させる。すなわち、高圧放電ランプＤＬが水銀ランプの場合は端子４および端子５の間に外部の調光切りかえ手段が接続されており制御短絡リレー１４を動作させて第１の調光用コンデンサ２３を接続する。このため高圧放電ランプ点灯装置のインピーダンスは主コンデンサ１１および第１の調光用コンデンサ２３の合計となり高圧放電ランプＤＬが調光点灯される。また、高圧放電ランプＤＬが高圧ナトリウムランプの場合は端子４および端子５の間に外部の調光切りかえ手段が接続されており制御短絡リレー１５を動作させて第２の調光用コンデンサ２５３を接続する。このため高圧放電ランプ点灯装置のインピーダンスは主チョークコイル１１および第１の調光用コンデンサ２５の合計となり高圧放電ランプＤＬが調光点灯される。このようにして接続される高圧放電ランプが、水銀ランプおよび高圧ナトリウムランプなどであっても高圧放電ランプ点灯装置の負荷を変化させて調光比率が同一となるようにしている。
【００１６】
【発明の効果】本発明によれば、制御切換手段によって調光制御チョークコイルまたは調光制御コンデンサを切り換えることによって、ランプの種別によって安定器のインピーダンスが調整され、外部の調光切りかえ手段によって調光されたときに所定の調光度にするが可能となり、多数・多種の高圧放電ランプを一度に調光切り替えする場合でも指定した調光度とすることができ、ランプの種別によって明るさが異なることを抑制できる。このため高圧放電ランプの種別によって、照度の違いも抑制できる。
【図面の簡単な説明】
【図１】本発明の第１の実施形態の高圧放電ランプ点灯装置の回路図。
【図２】本発明の第２の実施形態の高圧放電ランプ点灯装置の回路図。
【符号の説明】
１１・・・主チョークコイル、１２，１３・・・・調光用制御コイル、１４、１５・・・ランプ種別切換手段としてのリレー、ＤＬ・・・高圧放電ランプ、
【図１】
2004119103.tif 000003
【図２】
2004119103.tif 000004